【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
患者看護を教示するための患者シミュレータであって、
１若しくはそれ以上のシミュレートされた本体部分を有する患者本体と、
前記患者本体内に位置決めされ、患者の肺をシミュレートする一対の嚢体（ｂｌａｄｄｅｒ）と、
前記患者本体内に位置決めされたコンプレッサであって、前記嚢体と連通し、空気を選択的に当該嚢体に供給することにより呼吸パターンをシミュレートするコンプレッサと、
前記患者本体内に位置決めされ、外部制御システムと通信するように構成されたマスターモジュールと、
前記患者本体内に位置決めされ、前記マスターモジュールから間隔をおいて配置された呼吸モジュールシステムであって、前記嚢体に対する空気の供給および前記嚢体からの空気の供給を制御することによって、前記患者シミュレータの前記呼吸パターンを制御するものである、前記呼吸モジュールシステムと、
を有し、
前記患者シミュレータは外部装置に物理的に接続することなく動作可能である
患者シミュレータ。
【請求項２】
請求項１記載の患者シミュレータにおいて、前記呼吸モジュールシステムは、少なくとも１つの空気弁を制御するものである患者シミュレータ。
【請求項３】
請求項２記載の患者シミュレータにおいて、前記呼吸モジュールシステムは前記マスターモジュールと通信し、前記外部制御システムによって定義されるパラメータを有する呼吸パターンをシミュレートするものである患者シミュレータ。
【請求項４】
請求項３記載の患者シミュレータにおいて、この患者シミュレータは、さらに、
前記患者本体内に位置決めされ、前記マスターモジュールから間隔をおいて配置された少なくとも１つの肺音モジュールを有し、当該少なくとも１つの肺音モジュールは、前記患者の肺の音をシミュレートする肺音を生成するように構成されているものである患者シミュレータ。
【請求項５】
請求項４記載の患者シミュレータにおいて、前記少なくとも１つの肺音モジュールは前記呼吸モジュールシステムと連動しており、前記肺音は、前記外部制御システムによって定義される、前記呼吸パターンのパラメータと連動するものである患者シミュレータ。
【請求項６】
請求項１記載の患者シミュレータにおいて、この患者シミュレータは、さらに、
前記患者本体内に位置決めされ、前記マスターモジュールから間隔をおいて配置された心音モジュールを有し、当該心音モジュールは、患者の心臓をシミュレートする音を生成するように構成されているものである患者シミュレータ。
【請求項７】
請求項６記載の患者シミュレータにおいて、この患者シミュレータは、さらに、
前記患者本体内に位置決めされ、前記マスターモジュールから間隔をおいて配置された胸部圧迫モジュールを有し、当該胸部圧迫モジュールは、胸部圧迫中に加えられる圧力の量をモニタするものである患者シミュレータ。
【請求項８】
請求項７記載の患者シミュレータにおいて、前記圧迫モジュールは前記マスターモジュールと通信して、圧縮圧力を前記外部制御システムへ伝達するものである患者シミュレータ。
【請求項９】
請求項８記載の患者シミュレータにおいて、この患者シミュレータは、さらに、
前記患者本体内に位置決めされ、前記マスターモジュールから間隔をおいて配置された挿管モジュールを有し、当該挿管モジュールは、前記患者本体の気管部分内に位置決めされた挿管チューブの深さをモニタするように構成されているものである患者シミュレータ。
【請求項１０】
請求項９記載の患者シミュレータにおいて、この患者シミュレータは、さらに、
前記患者本体内に位置決めされ、前記マスターモジュールから間隔をおいて配置された換気モジュールを有し、当該換気モジュールは、外部換気装置によって生成された圧力の量をモニタするように構成されているものである患者シミュレータ。
【請求項１１】
請求項１０記載の患者シミュレータにおいて、前記換気モジュールは前記マスターモジュールと通信して、換気圧力を前記外部制御システムへ伝達するものである患者シミュレータ。
【請求項１２】
請求項１記載の患者シミュレータにおいて、この患者シミュレータは、さらに、
前記患者本体内に位置決めされ、前記マスターモジュールから間隔をおいて配置された眼アセンブリモジュールを有し、当該眼アセンブリモジュールは、前記患者本体の一対のシミュレートされた眼を制御するように構成されているものである患者シミュレータ。
【請求項１３】
請求項１２記載の患者シミュレータにおいて、前記眼アセンブリモジュールは、前記一対のシミュレートされた眼の瞳孔拡張およびまばたきを制御するように構成されているものである患者シミュレータ。
【請求項１４】
請求項１記載の患者シミュレータにおいて、この患者シミュレータは、さらに、
前記患者本体内に位置決めされ、前記マスターモジュールから間隔をおいて配置されたＥＣＧモジュールを有し、当該ＥＣＧモジュールは、患者の心臓によって発せられる電気信号をシミュレートする電気信号を発するものである患者シミュレータ。
【請求項１５】
請求項１４記載の患者シミュレータにおいて、前記ＥＣＧモジュールは、外部ペーシングおよび除細動を可能にするペースメーカ／除細動モジュールに接続されるものである患者シミュレータ。
【請求項１６】
請求項１記載の患者シミュレータにおいて、この患者シミュレータは、さらに、
前記患者本体内に位置決めされた送出機構モジュールを有し、当該送出機構モジュールは、前記患者本体内の胎児シミュレータの位置を制御するものである患者シミュレータ。
【請求項１７】
請求項１６記載の患者シミュレータにおいて、この患者シミュレータは、さらに、
前記患者本体内に位置決めされた回転モジュールを有し、当該回転モジュールは前記患者本体内の前記胎児シミュレータの回転を制御するものである患者シミュレータ。
【請求項１８】
請求項１６記載の患者シミュレータにおいて、この患者シミュレータは、さらに、
前記患者本体内に位置決めされた解放モジュールを有し、当該解放モジュールは、前記胎児シミュレータを前記患者本体の送出機構との係合から選択的に解放するものである患者シミュレータ。
【請求項１９】
患者看護を教示するための患者シミュレータであって、
ヒトの新生児をシミュレートするようにサイズおよび形状が設定された患者本体であって、１若しくはそれ以上のシミュレートされた本体部分を有するものである、前記患者本体と、
前記患者本体内に位置決めされ、患者の肺をシミュレートする一対の嚢体（ｂｌａｄｄｅｒ）と、
前記患者本体内に位置決めされたコンプレッサであって、前記嚢体と連通し、空気を選択的に当該嚢体に供給することにより呼吸パターンをシミュレートするコンプレッサと、
前記患者本体内に位置決めされ、外部制御システムと通信するように構成されたマスターモジュールと、
前記患者本体内に位置決めされ、前記マスターモジュールから間隔をおいて配置された呼吸モジュールシステムであって、前記嚢体に対する空気の供給および前記嚢体からの空気の供給を制御することによって、前記患者シミュレータの前記呼吸パターンを制御するものである、前記呼吸モジュールシステムと、
を有し、
前記患者シミュレータは外部装置に物理的に接続することなく動作可能である
患者シミュレータ。
【請求項２０】
請求項１９記載の患者シミュレータにおいて、
前記患者本体は、約２８週から約４０週の間の在胎期間にあるヒトの新生児をシミュレートするようにサイズおよび形状が設定されているものである患者シミュレータ。
【請求項２１】
請求項１９記載の患者シミュレータにおいて、前記呼吸モジュールシステムは、前記外部制御システムによって定義されるパラメータに基づいて、少なくとも１つの空気弁を制御して前記嚢体に対する空気の供給および前記嚢体からの空気の供給を制御するものである患者シミュレータ。
【請求項２２】
請求項１９記載の患者シミュレータにおいて、この患者シミュレータは、さらに、
前記患者本体内に位置決めされ、前記マスターモジュールから間隔をおいて配置された挿管モジュールを有し、当該挿管モジュールは、前記患者本体の気管部分内に位置決めされた挿管チューブの深さをモニタするように構成されているものである患者シミュレータ。
【請求項２３】
請求項１９記載の患者シミュレータにおいて、この患者シミュレータは、さらに、
前記患者本体内に位置決めされ、前記マスターモジュールから間隔をおいて配置された胸部圧迫モジュールを有し、当該胸部圧迫モジュールは、胸部圧迫中に前記患者本体に対して加えられる圧力の量をモニタし、前記マスターモジュールと通信して、圧縮圧力を前記外部制御システムへ伝達するものである患者シミュレータ。
【請求項２４】
請求項１９記載の患者シミュレータにおいて、この患者シミュレータは、さらに、
前記患者本体内に位置決めされ、前記マスターモジュールから間隔をおいて配置されたＥＣＧモジュールを有し、当該ＥＣＧモジュールは、患者の心臓によって発せられる電気信号をシミュレートする電気信号を発するものである患者シミュレータ。
【手続補正２】
【補正対象書類名】明細書
【補正対象項目名】０００５
【補正方法】変更
【補正の内容】
【０００５】
実際の患者と接することを許可する前に患者看護プロトコルについて学生を訓練することが望ましいが、教科書やフラッシュカードには、「実践的」練習から得られる重要な効果が欠けている。従って、患者看護教育は、人体模型などのシミュレータ上で患者看護を行うための医療用器具を用いて教示することが多かった。しかし、そのようなシステムの欠点の一つは、医療器具が極度に高価であることが多いため、ユーザの多くは、教育上の体験内容範囲を狭めるという犠牲を払ってまでも、器具の種類を少なくせざるを得ないことである。前記の課題に対する一つの解決策は、米国特許第５，８５３，２９２号明細書（この参照により開示の全体を本明細書に組み込むものとする）で教示されたように、一組の廉価のシミュレーション用医療器具（「仮想」器具）を用いることである。別の解決策は、シミュレータを本物の医療器具と両立するようにすることである。
患者看護教育における別の課題は、ユーザに教示するために用いる患者シミュレータが受動的であることである。例えば、出産のシミュレーションにおいて、ユーザはシミュレーション用胎児をシミュレートされた母体の骨盤内に配置し、これを産道経由で降ろし、胎児の頭部を娩出させ、胎児を約９０°回転させて肩を娩出させ、最後に胎児を引き出す（この時点で「新生児」と称することになる）必要がある。実際の分娩における一連の事象を模倣している一方で、ユーザが胎児を物理的に操作するということで迫真性に欠けており、患者看護を行う難しさを察しにくくなる。実際の分娩においては、胎児にアクセスすることはできず、ほとんどの動きは隠れて見えないようになっており、先行技術によるシステムは出産中に患者看護を提供するという最も難しい状況に対応していない。さらに、先行技術によるシステムは、胎児が産道を通って降りて来る時の子宮頚部拡張をシミュレーションしないため、学生が分娩の段階を評価したり、分娩の進展を評価するための子宮頚部拡張の対時間拡張図（「分娩記録」）を作成することができない。
患者看護教育におけるさらに別の課題は、システムがかさばり過ぎ、また、他の構成部品への必要配線接続の本数が多過ぎることが多く、そのため、シミュレータを他の位置に動かしにくいことである。「可搬式」と称されているシステムでも、シミュレータを完全に機能させるためには、コンプレッサや電源など数多く接続部品を移動する必要があることが多い。この課題の解決策は、外部装置とワイヤレスで通信する完全機能型・独立式シミュレータにすることである。従って、より現実に近いシミュレーション用患者を含む、患者看護訓練セッションの実施に用いるインタラクティブ教育システム用のシステムが必要である。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正３】
【補正対象書類名】明細書
【補正対象項目名】０００６
【補正方法】変更
【補正の内容】
【０００６】
【特許文献１】  米国特許第４２３７６４９号明細書
【特許文献２】  米国特許第６０７７０８３号明細書
【特許文献３】  米国特許第２５５１４３３号明細書
【特許文献４】  米国特許第２８７１５７９号明細書
【特許文献５】  米国特許第３５５７４７１号明細書
【特許文献６】  米国特許第３６４１７０３号明細書
【特許文献７】  米国特許第３６６４０３８号明細書
【特許文献８】  米国特許第３７０７７８２号明細書
【特許文献９】  米国特許第３７４０８７１号明細書
【特許文献１０】  米国特許第３７５３３０１号明細書
【特許文献１１】  米国特許第３７９７１３０号明細書
【特許文献１２】  米国特許第３８１８７５６号明細書
【特許文献１３】  英国特許第２３２４９０２号明細書
【特許文献１４】  特許第０４００８４４７号公報
【特許文献１５】  特許第０５５２８０２８号公報
【特許文献１６】  特許第６００３０７６９号公報
【特許文献１７】  特許第６３０１１０１８号公報
【特許文献１８】  特許第６３０６０１８０号公報
【特許文献１９】  国際公開第１９９６／０１６３８９号
【特許文献２０】  国際公開第２００２／００１５３６号
【特許文献２１】  国際公開第２００３／０４１０３４号
【特許文献２２】  米国特許第３８２４７０９号明細書
【特許文献２３】  米国特許第３８２６０１９号明細書
【特許文献２４】  米国特許第３８６６３５０号明細書
【特許文献２５】  米国特許第３９１６５３５号明細書
【特許文献２６】  米国特許第４１３４２１８号明細書
【特許文献２７】  米国特許第４１５５１９６号明細書
【特許文献２８】  米国特許第４３６０３４５号明細書
【特許文献２９】  米国特許第４３９５２３５号明細書
【特許文献３０】  米国特許第４４０２３２７号明細書
【特許文献３１】  米国特許第４４３０８９３号明細書
【特許文献３２】  米国特許第４４６４１２３号明細書
【特許文献３３】  米国特許第４５７５３５１号明細書
【特許文献３４】  米国特許第４６１１９９８号明細書
【特許文献３５】  米国特許第４６９１５５６号明細書
【特許文献３６】  米国特許第４７０１１３２号明細書
【特許文献３７】  国際公開第２００８／０４２９３１号
【特許文献３８】  国際公開第２００９／０７６１４５号
【特許文献３９】  米国特許第４７２６７７２号明細書
【特許文献４０】  米国特許第４９３２８７９号明細書
【特許文献４１】  米国特許第５０５５０５２号明細書
【特許文献４２】  米国特許第５０８３９６２号明細書
【特許文献４３】  米国特許第５１００３２９号明細書
【特許文献４４】  米国特許第５１０４３２８号明細書
【特許文献４５】  米国特許第５１３７４５８号明細書
【特許文献４６】  米国特許第５１９５８９６号明細書
【特許文献４７】  米国特許第５２５９７６５号明細書
【特許文献４８】  米国特許第５２９５８３５号明細書
【特許文献４９】  米国特許第５２７９３０９号明細書
【特許文献５０】  米国特許第５３３９７９９号明細書
【特許文献５１】  米国特許第５３５１６７７号明細書
【特許文献５２】  米国特許第５３８５４７４号明細書
【特許文献５３】  米国特許第５４４１４１３号明細書
【特許文献５４】  米国特許第５４５４７２２号明細書
【特許文献５５】  米国特許第５５０９８１０号明細書
【特許文献５６】  米国特許第５５２８９４３号明細書
【特許文献５７】  米国特許第５５４０５９２号明細書
【特許文献５８】  米国特許第５５３８００５号明細書
【特許文献５９】  米国特許第５６０９４８５号明細書
【特許文献６０】  米国特許第５６２０３２６号明細書
【特許文献６１】  米国特許第５６２８２３０号明細書
【特許文献６２】  米国特許第５７０４７９１号明細書
【特許文献６３】  米国特許第５７５５５７７号明細書
【特許文献６４】  米国特許第５７６９６４０号明細書
【特許文献６５】  米国特許第５７９９２８２号明細書
【特許文献６６】  米国特許第５８００１７９号明細書
【特許文献６７】  米国特許第５８２８１９７号明細書
【特許文献６８】  米国特許第５８５５５５３号明細書
【特許文献６９】  米国特許第５８８２２０６号明細書
【特許文献７０】  米国特許第５９４１７５７号明細書
【特許文献７１】  米国特許第６０２２２６３号明細書
【特許文献７２】  米国特許第６０２４５７６号明細書
【特許文献７３】  米国特許第６０５０８２６号明細書
【特許文献７４】  米国特許第６０８８０１７号明細書
【特許文献７５】  米国特許第６０８８０２０号明細書
【特許文献７６】  米国特許第６０８９８７３号明細書
【特許文献７７】  米国特許第６０９１９８１号明細書
【特許文献７８】  米国特許第６１１３３９５号明細書
【特許文献７９】  米国特許第６１１７０７８号明細書
【特許文献８０】  米国特許第６２１９０３２号明細書
【特許文献８１】  米国特許第６２２０８６６号明細書
【特許文献８２】  米国特許第６２３０５７４号明細書
【特許文献８３】  米国特許第６２３８２１５号明細書
【特許文献８４】  米国特許第６２６７５９９号明細書
【特許文献８５】  米国特許第６２９６４９０号明細書
【特許文献８６】  米国特許第６３０６１０７号明細書
【特許文献８７】  米国特許第６３７５４７１号明細書
【特許文献８８】  米国特許第６４２８３２１号明細書
【特許文献８９】  米国特許第６４７０３０２号明細書
【特許文献９０】  米国特許第６５４４０４１号明細書
【特許文献９１】  米国特許第６５４７７８２号明細書
【特許文献９２】  米国特許第６５７５７５７号明細書
【特許文献９３】  米国特許第６６３８０７３号明細書
【特許文献９４】  米国特許第６６６９４８３号明細書
【特許文献９５】  米国特許第６７０５８７１号明細書
【特許文献９６】  米国特許第６７４９４３３号明細書
【特許文献９７】  米国特許第６８５０２２２号明細書
【特許文献９８】  米国特許第６８５７８７８号明細書
【特許文献９９】  米国特許第６９２３０８１号明細書
【特許文献１００】  米国特許第６９２９４８１号明細書
【特許文献１０１】  米国特許第６９４６８１２号明細書
【特許文献１０２】  米国特許第６９９７７１８号明細書
【特許文献１０３】  米国特許第７１９２２８４号明細書
【特許文献１０４】  米国特許第７４６５１６８号明細書
【特許文献１０５】  米国特許出願公開第２００９／０１４８８２２号明細書
【特許文献１０６】  米国特許第２５５１４３３号明細書
【特許文献１０７】  米国特許第２８７１５７９号明細書
【特許文献１０８】  米国特許第３５２００７１号明細書
【特許文献１０９】  米国特許第３５５７４７１号明細書
【特許文献１１０】  米国特許第３６４１７０３号明細書
【特許文献１１１】  米国特許第３６６４０３８号明細書
【特許文献１１２】  米国特許第３７０７７８２号明細書
【特許文献１１３】  米国特許第３７４０８７１号明細書
【特許文献１１４】  米国特許第３７５３３０１号明細書
【特許文献１１５】  米国特許第３７９７１３０号明細書
【特許文献１１６】  米国特許第３８１８７５６号明細書
【特許文献１１７】  米国特許第３８２４７０９号明細書
【特許文献１１８】  米国特許第３８２６０１９号明細書
【特許文献１１９】  米国特許第３８６６３５０号明細書
【特許文献１２０】  米国特許第３９１６５３５号明細書
【特許文献１２１】  米国特許第４１３４２１８号明細書
【特許文献１２２】  米国特許第４１５５１９６号明細書
【特許文献１２３】  米国特許第４２３７６４９号明細書
【特許文献１２４】  米国特許第４３６０３４５号明細書
【特許文献１２５】  米国特許第４３９５２３５号明細書
【特許文献１２６】  米国特許第４４０２３２７号明細書
【特許文献１２７】  米国特許第４４３０８９３号明細書
【特許文献１２８】  米国特許第４４６４１２３号明細書
【特許文献１２９】  米国特許第４５７５３５１号明細書
【特許文献１３０】  米国特許第４６１１９９８号明細書
【特許文献１３１】  米国特許第４６９１５５６号明細書
【特許文献１３２】  米国特許第４７３４０３９号明細書
【特許文献１３３】  米国特許第４７９７１０４号明細書
【特許文献１３４】  米国特許第４８２０２３６号明細書
【特許文献１３５】  米国特許第４８２８５０１号明細書
【特許文献１３６】  米国特許第４８３６８２１号明細書
【特許文献１３７】  米国特許第４８５０８７６号明細書
【特許文献１３８】  米国特許第４８６７６８５号明細書
【特許文献１３９】  米国特許第４９０７９７３号明細書
【特許文献１４０】  米国特許第４９１５６３５号明細書
【特許文献１４１】  米国特許第４９３２８７９号明細書
【特許文献１４２】  米国特許第５０５５０５２号明細書
【特許文献１４３】  米国特許第５０８３９６２号明細書
【特許文献１４４】  米国特許第５１００３２９号明細書
【特許文献１４５】  米国特許第５１０４３２８号明細書
【特許文献１４６】  米国特許第５１３７４５８号明細書
【特許文献１４７】  米国特許第５１９５８９６号明細書
【特許文献１４８】  米国特許第５２５９７６５号明細書
【特許文献１４９】  米国特許第５２９５８３５号明細書
【特許文献１５０】  米国特許第５２７９３０９号明細書
【特許文献１５１】  米国特許第５３３９７９９号明細書
【特許文献１５２】  米国特許第５３５１６７７号明細書
【特許文献１５３】  米国特許第６５７５７５７号明細書
【特許文献１５４】  米国特許第６６３８０７３号明細書
【特許文献１５５】  米国特許第６６６９４８３号明細書
【特許文献１５６】  米国特許第６７０５８７１号明細書
【特許文献１５７】  米国特許第６７４９４３３号明細書
【特許文献１５８】  米国特許第４７０１１３２号明細書
【特許文献１５９】  米国特許第４７２６７７２号明細書
【特許文献１６０】  米国特許第４７７３８６５号明細書
【特許文献１６１】  米国特許第５３８５４７４号明細書
【特許文献１６２】  米国特許第５４４１４１３号明細書
【特許文献１６３】  米国特許第５４５４７２２号明細書
【特許文献１６４】  米国特許第５５０９８１０号明細書
【特許文献１６５】  米国特許第５５２８９４３号明細書
【特許文献１６６】  米国特許第５５４０５９２号明細書
【特許文献１６７】  米国特許第５５３８００５号明細書
【特許文献１６８】  米国特許第５６０９４８５号明細書
【特許文献１６９】  米国特許第５６２０３２６号明細書
【特許文献１７０】  米国特許第５６２８２３０号明細書
【特許文献１７１】  米国特許第５７０４７９１号明細書
【特許文献１７２】  米国特許第５２７９３０９号明細書
【特許文献１７３】  米国特許第５７５５５７７号明細書
【特許文献１７４】  米国特許第５７６９６４０号明細書
【特許文献１７５】  米国特許第５７９９２８２号明細書
【特許文献１７６】  米国特許第５８００１７９号明細書
【特許文献１７７】  米国特許第５８２８１９７号明細書
【特許文献１７８】  米国特許第５８５３２９２号明細書
【特許文献１７９】  米国特許第５８５５５５３号明細書
【特許文献１８０】  米国特許第５８８２２０６号明細書
【特許文献１８１】  米国特許第５９４１７５７号明細書
【特許文献１８２】  米国特許第６０２２２６３号明細書
【特許文献１８３】  米国特許第６０２４５７６号明細書
【特許文献１８４】  米国特許第６０５０８２６号明細書
【特許文献１８５】  米国特許第６０７７０８３号明細書
【特許文献１８６】  米国特許第６０８８０１７号明細書
【特許文献１８７】  米国特許第６０８８０２０号明細書
【特許文献１８８】  米国特許第６０８９８７３号明細書
【特許文献１８９】  米国特許第６０９１９８１号明細書
【特許文献１９０】  米国特許第６１１３３９５号明細書
【特許文献１９１】  米国特許第６１１７０７８号明細書
【特許文献１９２】  米国特許第６１９３５１９号明細書
【特許文献１９３】  米国特許第６２１９０３２号明細書
【特許文献１９４】  米国特許第６２２０８６６号明細書
【特許文献１９５】  米国特許第６２３０５７４号明細書
【特許文献１９６】  米国特許第６２３８２１５号明細書
【特許文献１９７】  米国特許第６２６７５９９号明細書
【特許文献１９８】  米国特許第６２９６４９０号明細書
【特許文献１９９】  米国特許第６３０６１０７号明細書
【特許文献２００】  米国特許第６３７５４７１号明細書
【特許文献２０１】  米国特許第６４２８３２１号明細書
【特許文献２０２】  米国特許第６４４３７３５号明細書
【特許文献２０３】  米国特許第６４７０３０２号明細書
【特許文献２０４】  米国特許第６５０３０８７号明細書
【特許文献２０５】  米国特許第６５２７５５８号明細書
【特許文献２０６】  米国特許第６５４４０４１号明細書
【特許文献２０７】  米国特許第６５４７７８２号明細書
【特許文献２０８】  米国特許第６５７５７５７号明細書
【特許文献２０９】  米国特許第６６３８０７３号明細書
【特許文献２１０】  米国特許第６６６９４８３号明細書
【特許文献２１１】  米国特許第６７０５８７１号明細書
【特許文献２１２】  米国特許第６７４９４３３号明細書
【特許文献２１３】  米国特許第６７５８６７６号明細書
【特許文献２１４】  米国特許第６８５０２２２号明細書
【特許文献２１５】  米国特許第６８５７８７８号明細書
【特許文献２１６】  米国特許第６９２３０８１号明細書
【特許文献２１７】  米国特許第６９２９４８１号明細書
【特許文献２１８】  米国特許第６９４６８１２号明細書
【特許文献２１９】  米国特許第６９５７９６１号明細書
【特許文献２２０】  米国特許第６９９７７１８号明細書
【特許文献２２１】  米国特許第７１１４９５４号明細書
【特許文献２２２】  米国特許第７１９２２８４号明細書
【特許文献２１３】  米国特許第７２４１１４５号明細書
【特許文献２１４】  米国特許第７４６５１６８号明細書
【特許文献２１５】  米国特許出願公開第２００４／０１１０１１７号明細書
【特許文献２１６】  米国特許出願公開第２００４／０２３４９３３号明細書
【特許文献２１７】  米国特許出願公開第２００７／０１２２７８５号明細書
【特許文献２１８】  米国特許出願公開第２００８／０１３１８５５号明細書
【特許文献２１９】  米国特許出願公開第２００８／０１３８７７８号明細書
【特許文献２２０】  米国特許出願公開第２００８／０１３８７７９号明細書
【特許文献２２１】  米国特許出願公開第２００８／０１３８７８０号明細書
【特許文献２２２】  米国特許出願公開第２００９／０１４８８２２号明細書
【特許文献２２３】  英国特許第２３２４９０２号明細書
【特許文献２２４】  特許第０４００８４４７号公報
【特許文献２２５】  特許第０５５２８０２８号公報
【特許文献２２６】  特許第６００３０７６９号公報
【特許文献２２７】  特許第６３０１１０１８号公報
【特許文献２２８】  特許第６３０６０１８０号公報
【特許文献２２９】  国際公開第ＷＯ１９９６／０１６３８９号
【特許文献２３０】  国際公開第ＷＯ２００２／００１５３６号
【特許文献２３１】  国際公開第ＷＯ２００２／０２９７６５号
【特許文献２３２】  国際公開第ＷＯ２００３／０４１０３４号
【特許文献２３３】  国際公開第ＷＯ２００５／０３２３２７号
【特許文献２３４】  国際公開第ＷＯ２００５／０５３５０８号
【特許文献２３５】  国際公開第ＷＯ２００５／１２２１１１号
【特許文献２３６】  国際公開第ＷＯ２００８／０４２９３１号
【特許文献２３７】  米国特許第４７７３８６５号明細書
【特許文献２３８】  米国特許第４７３４０３９号明細書
【特許文献２３９】  米国特許第４７９７１０４号明細書
【特許文献２４０】  米国特許第４８２０２３６号明細書
【特許文献２４１】  米国特許第４８２８５０１号明細書
【特許文献２４２】  米国特許第４８３６８２１号明細書
【特許文献２４３】  米国特許第４８５０８７６号明細書
【特許文献２４４】  米国特許第４８６７６８５号明細書
【特許文献２４５】  米国特許第４９０７９７３号明細書
【特許文献２４６】  米国特許第４９１５６３５号明細書
【非特許文献】
【手続補正４】
【補正対象書類名】明細書
【補正対象項目名】０００７
【補正方法】変更
【補正の内容】
【０００７】
【非特許文献１】  ＥＵＲＯＰＥＡＮ  ＰＡＴＥＮＴ  ＯＦＦＩＣＥ，  Ｉｎｔｅｒｎａｔｉｏｎａｌ  Ｓｅａｒｃｈ  Ｒｅｐｏｒｔ  ｉｓｓｕｅｄ  Ｏｃｔｏｂｅｒ  １０，  ２０１０，  Ａｐｐｌｉｃａｔｉｏｎ  Ｎｏ．  ０１９７７９０８．１−２２２１／１３４２２２４  ＰＣＴ／ＵＳ０１１４２５１２，  ５  ｐａｇｅｓ．
【非特許文献２】  ＢＲＥＴＴ，  Ｐ．  Ｎ．，  "Ａ  Ｔｅｃｈｎｉｑｕｅ  ｆｏｒ  Ｍｅａｓｕｒｉｎｇ  Ｃｏｎｔａｃｔ  Ｆｏｒｃｅ  Ｄｉｓｔｒｉｂｕｔｉｏｎ  ｉｎ  Ｍｉｎｉｍａｌｌｙ  Ｉｎｖａｓｉｖｅ  Ｓｕｒｇｉｃａｌ  Ｐｒｏｃｅｄｕｒｅｓ，"  Ｎａｔｉｏｎａｌ  Ｌｉｂｒａｒｙ  ｏｆ  Ｍｅｄｉｃｉｎｅ  ＭＥＤＬＩＮＥ  Ｄａｔａｂａｓｅ，  １９９７，  １  ｐａｇｅ．
【非特許文献３】  ＡＬＬＥＮ，  Ｒ．  Ｈ．，  "Ｓｉｍｕｌａｔｉｎｇ  Ｂｉｒｔｈ  ｔｏ  Ｉｎｖｅｓｔｉｇａｔｅ  Ｃｌｉｎｉｃｉａｎ−Ａｐｐｌｉｅｄ  Ｌｏａｄｓ  ｏｎ  Ｎｅｗｂｏｒｎｓ，"  Ｎａｔｉｏｎａｌ  Ｌｉｂｒａｒｙ  ｏｆ  Ｍｅｄｉｃｉｎｅ  ＭＥＤＬＩＮＥ  Ｄａｔａｂａｓｅ，  Ｊｕｌｙ，  １９９５，  １  ｐａｇｅ．
【非特許文献４】  ＣＲＯＦＴＳ，  ＪＯＡＮＮＡ  Ｆ．，  ｅｔ  ａｌ．，  "Ｔｒａｉｎｉｎｇ  ｆｏｒ  Ｓｈｏｕｌｄｅｒ  Ｄｙｓｔｏｃｉａ，"  Ｏｂｓｔｅｔｒｉｃｓ  &  Ｇｙｎｅｃｏｌｏｇｙ，  Ｖｏｌ  １０８，  Ｎｏ．  ６，  Ｄｅｃｅｍｂｅｒ  ２００６，  ｐ．  １４７７−１４８５．
【非特許文献５】  Ｕｎｉｖｅｒｓｉｔｙ  ｏｆ  Ｍｉａｍｉ，  Ｄｉｖｉｓｉｏｎ  ｏｆ  Ｒｅｓｅａｒｃｈ  ｉｎ  Ｍｅｄｉｃａｌ  Ｅｄｕｃａｔｉｏｎ，  "Ｈａｒｖｅｙ"  -  Ｔｈｅ  Ｃａｒｄｉｏｌｏｇｙ  Ｐａｔｉｅｎｔ  Ｓｉｍｕｌａｔｏｒ，  ５  ｐａｇｅｓ．
【非特許文献６】  Ｍｅｄｉｃａｌ  Ｅｄｕｃａｔｉｏｎａｌ  Ｔｅｃｈｎｏｌｏｇｙ，  Ｈｕｍａｎ  Ｐａｔｉｅｎｔ  Ｓｉｍｕｌａｔｏｒ，  １９９６，  ９  ｐａｇｅｓ．
【非特許文献７】  Ｌｏｒａｌ  Ｄａｔａ  Ｐｈｙｓｉｏｌｏｇｙ，  Ｐｈａｒｍａｃｏｌｏｇｙ  &  Ｔｅｃｈｎｏｌｏｇｙ  Ｔｏｇｅｔｈｅｒ  ｉｎ  ｔｈｅ  Ｈｕｍａｎ  Ｐａｔｉｅｎｔ  Ｓｉｍｕｌａｔｏｒ，  Ａｕｇｕｓｔ，  １９９４，  ８  ｐａｇｅｓ．
【非特許文献８】  Ｌｏｒａｌ  Ｄａｔａ  Ｅｄｕｃａｔｉｏｎ  Ｃｕｒｒｉｃｕｌｕｍ  Ｅｘａｍｐｌｅ  Ｓｃｅｎａｒｉｏ，  Ｈｕｍａｎ  Ｐａｔｉｅｎｔ  Ｓｉｍｕｌａｔｏｒ，  Ｊｕｌｙ  １９９４，  ８  ｐａｇｅｓ．
【非特許文献９】  Ｌｏｒａｌ  Ｄａｔａ  Ｐｈｙｓｉｏｌｏｇｙ，  Ｐｈａｒｍａｃｏｌｏｇｙ  &  Ｔｅｃｈｎｏｌｏｇｙ  Ｔｏｇｅｔｈｅｒ  ｉｎ  ｔｈｅ  Ｈｕｍａｎ  Ｐａｔｉｅｎｔ  Ｓｉｍｕｌａｔｏｒ，  Ｍａｒｃｈ，  １９９４，  ３  ｐａｇｅｓ．
【非特許文献１０】  Ｐｒｏｍｏｔｉｏｎａｌ  Ｌｉｔｅｒａｔｕｒｅ，  Ａｄｖａｎｃｅｄ  Ｃａｒｄｉａｃ  Ｌｉｆｅ  Ｓｕｐｐｏｒｔ  Ｌｅａｒｎｉｎｇ  Ｓｙｓｔｅｍ，  Ａｍｂｕ  ＭｅｇａＣｏｄｅ  Ｔｒａｉｎｅｒ  Ｓｙｓｔｅｍ  ａｎｄ  Ａｍｂｕ  Ｄｅｆｉｂ  Ｔｒａｉｎｉｎｇ  Ｍａｎｉｋｉｎ，  Ｍａｙ  １９９６，  ９  ｐａｇｅｓ．
【非特許文献１１】  Ｐｒｏｍｏｔｉｏｎａｌ  Ｌｉｔｅｒａｔｕｒｅ，  Ｈｕｍａｎ  Ｐａｔｉｅｎｔ  Ｓｉｍｕｌａｔｏｒ，  １９９４，  Ｌｏｒａｌ  Ｄａｔａ  Ｓｙｓｔｅｍｓ，  ４  ｐａｇｅｓ．
【非特許文献１２】  Ｍｅｄｉｃａｌ  Ｔｅｓｔｉｎｇ  Ｔａｋｅｓ  Ｌｅａｐ  ｉｎｔｏ  Ｆｕｔｕｒｅ，  ｎｅｗｓｐａｐｅｒ  ａｒｔｉｃｌｅ，  Ｎｏｖｅｍｂｅｒ  ８，  １９９４，  ２  ｐａｇｅｓ．
【非特許文献１３】  Ｎａｓｃｏ  Ｈｅａｌｔｈ  Ｃａｒｅ  Ｅｄｕｃａｔｉｏｎａｌ  Ｍａｔｅｒｉａｌｓ．  １９９６−１９９７  ｃａｔａｌｏｇｕｅ，  ２３  ｐａｇｅｓ．
【非特許文献１４】  Ｅａｓｙ  ＡＣＬＳ  Ｑｕｉｃｋ  ｒｅｆｅｒｅｎｃｅ  Ｃｈａｒｔ  ２，  Ａｄｖａｎｃｅｄ  Ｃａｒｄｉａｃ  Ｌｉｆｅ  Ｓｕｐｐｏｒｔ  Ｐｒｅｐａｒａｔｉｏｎ  Ｍａｎｕａｌ，  １９９５，  １１  ｐａｇｅｓ．
【非特許文献１５】  Ｇａｕｍａｒｄ  Ｓｃｉｅｎｔｉｆｉｃ  ９５−９６  Ｃａｔａｌｏｇｕｅ，  ２  ｐａｇｅｓ．
【非特許文献１６】  Ｈｕｍａｎ  Ｐａｔｉｅｎｔ  Ｓｉｍｕｌａｔｏｒ，  Ｃｌｉｎｉｃａｌ  Ｆｅａｔｕｒｅｓ  Ｓｕｍｍａｒｙ，  Ｍｅｄｉｃａｌ  Ｅｄｕｃａｔｉｏｎ  Ｔｅｃｈｎｏｌｏｇｙ，  ２００２−２００３，  １１  ｐａｇｅｓ．
【非特許文献１７】  Ｐｕｔｔｉｎｇ  Ｉｔ  Ａｌｌ  Ｔｏｇｅｔｈｅｒ，  Ｌａｅｒｄａｌ  ＡＬＳ  Ｔｒａｉｎｅｒ  Ｐｒｏｄｕｃｔ  Ｉｎｆｏｒｍａｔｉｏｎ，  ２  ｐａｇｅｓ．
【非特許文献１８】  Ｈｅｌｐｉｎｇ  Ｓａｖｅ  Ｌｉｖｅｓ，  Ｌａｅｒｄａｌ  Ｃａｔａｌｏｇｕｅ，  １９９２，  １０  ｐａｇｅｓ．
【非特許文献１９】  Ａｒｍｓｔｒｏｎｇ  １９９６，  Ａｎｅｓｔｈｅｓｉａ  Ｅｍｅｒｇｅｎｃｙ  Ｃｏｄｅ  Ｔｅａｍ，  ＭＥＴＩ，  ＥＭＳ  Ｒｅｓｐｉｒａｔｏｒｙ  ＩＣＵ／ＣＣＵ，  １５  ｐａｇｅｓ．
【非特許文献２０】  ＭＥＴＩ，  Ｔｈｅ  Ｂｉｇｇｅｓｔ  Ｓｍａｌｌｅｓｔ  Ｉｎｎｏｖａｔｉｏｎ，  Ｐｅｄｉａｓｉｍ  Ｓｉｍｕｌａｔｉｏｎ  Ｔｅｃｈｎｏｌｏｇｙ，  １９９９，  ４  ｐａｇｅｓ．
【非特許文献２１】  ｗｗｗ．ｌａｅｄａｌ．ｃｏｍ，  Ｅａｒｌｙ  Ｄｅｆｉｂｒｉｌｌａｔｉｏｎ  Ｐｒｏｄｕｃｔｓ，  Ｌａｅｒｄａｌ  ＡＥＤ  Ｔｒａｉｎｅｒ  ａｎｄ  Ｌａｅｒｄａｌ  Ｅａｒｌｙ  Ｄｅｆｉｂｒｉｌｌａｔｉｏｎ  Ｔｒａｉｎｉｎｇ  Ｍａｎｉｋｉｎｓ，  Ｎｏｖｅｍｂｅｒ  １６，  １９９８，  ２  ｐａｇｅｓ．
【非特許文献２２】  ＭＥＴＩ，  Ｐｒａｃｔｉｃｅ  ｉｓ  ｔｈｅ  Ｂｅｓｔ  Ｔｅａｃｈｅｒ  Ｂｒｏｃｈｕｒｅ，  １９９７，  ４  ｐａｇｅｓ．
【非特許文献２３】  Ｇａｕｍａｒｄ  Ｓｃｉｅｎｔｉｆｉｃ  ２００２−２００３  Ｃａｔａｌｏｇｕｅ，  ８８  ｐａｇｅｓ．
【非特許文献２４】  Ｎｏｅｌｌｅ  Ｍａｔｅｒｎａｌ  ａｎｄ  Ｎｅｏｎａｔａｌ  Ｂｉｒｔｈｉｎｇ  Ｓｉｍｕｌａｔｏｒ  Ｐｒｏｄｕｃｔ  Ｐｒｏｍｏｔｉｏｎａｌ  Ｉｎｆｏｒｍａｔｉｏｎ，  ２００２，  １６  ｐａｇｅｓ．
【非特許文献２５】  Ｌｉｆｅｓａｖｉｎｇ  Ｐｒｏｄｕｃｔｓ  ｆｏｒ  Ｔｏｄａｙ'ｓ  Ｇｏｏｄ  Ｓａｍａｒｉｔａｎｓ，  Ｌａｅｒｄａｌ  Ｃａｔａｌｏｇｕｅ，  ２００３，  ７  ｐａｇｅｓ．
【非特許文献２６】  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２００４／３９４０９，  ｄａｔｅｄ  Ｏｃｔｏｂｅｒ  ２４，  ２００５，  ９  ｐａｇｅｓ
【非特許文献２７】  ＪＡＰＡＮＥＳＥ  ＰＡＴＥＮＴ  ＯＦＦＩＣＥ，  Ｏｆｆｉｃｅ  Ａｃｔｉｏｎ  ｄａｔｅｄ  Ｍａｙ  １８，  ２００５，  Ａｐｐｌｉｃａｔｉｏｎ  Ｎｏ．  ２００２／５３３２６０，  ７  ｐａｇｅｓ．
【非特許文献２８】  ＥＵＲＯＰＥＡＮ  ＰＡＴＥＮＴ  ＯＦＦＩＣＥ，  Ｏｆｆｉｃｅ  Ａｃｔｉｏｎ  ｄａｔｅｄ  Ｎｏｖｅｍｂｅｒ  ２２，  ２００５，  Ａｐｐｌｉｃａｔｉｏｎ  Ｎｏ．  ０１９７７９０８．１，  ４  ｐａｇｅｓ．
【非特許文献２９】  ＪＡＰＡＮＥＳＥ  ＰＡＴＥＮＴ  ＯＦＦＩＣＥ，  Ｏｆｆｉｃｅ  Ａｃｔｉｏｎ  ｄａｔｅｄ  Ｄｅｃｅｍｂｅｒ  ８，  ２００９，  Ａｐｐｌｉｃａｔｉｏｎ  Ｎｏ．  ２００９−１４３５８３，  ５  ｐａｇｅｓ．
【非特許文献３０】  Ｌｏｒａｌ  Ｄａｔａ  Ｓｙｓｔｅｍｓ  Ｄｅｌｉｖｅｒｓ  Ｈｕｍａｎ  ｐａｔｉｅｎｔ  Ｓｉｍｕｌａｔｏｒ，  ｎｅｗｓ  ｒｅｌｅａｓｅ，  Ａｕｇｕｓｔ  １９９４，  １  ｐａｇｅ．
【非特許文献３１】  ＥＵＲＯＰＥＡＮ  ＰＡＴＥＮＴ  ＯＦＦＩＣＥ，  Ｉｎｔｅｒｎａｔｉｏｎａｌ  Ｓｅａｒｃｈ  Ｒｅｐｏｒｔ  ｄａｔｅｄ  Ｆｅｂｒｕａｒｙ  ２８，  ２００８，  ｆｏｒ  Ａｐｐｌｉｃａｔｉｏｎ  Ｎｏ．  ＰＣＴ／ＵＳ０７／０８０２５２，  ３  ｐａｇｅｓ．
【非特許文献３２】  ＢＲＥＴＴ，  Ｐ．  Ｎ．，  "Ａ  Ｔｅｃｈｎｉｑｕｅ  ｆｏｒ  Ｍｅａｓｕｒｉｎｇ  Ｃｏｎｔａｃｔ  Ｆｏｒｃｅ  Ｄｉｓｔｒｉｂｕｔｉｏｎ  ｉｎ  Ｍｉｎｉｍａｌｌｙ  Ｉｎｖａｓｉｖｅ  Ｓｕｒｇｉｃａｌ  Ｐｒｏｃｅｄｕｒｅｓ，"  Ｎａｔｉｏｎａｌ  Ｌｉｂｒａｒｙ  ｏｆ  Ｍｅｄｉｃｉｎｅ  ＭＥＤＬＩＮＥ  Ｄａｔａｂａｓｅ，  １９９７，  １  ｐａｇｅ．
【非特許文献３３】  ＡＬＬＥＮ，  Ｒ．  Ｈ．，  "Ｓｉｍｕｌａｔｉｎｇ  Ｂｉｒｔｈ  ｔｏ  Ｉｎｖｅｓｔｉｇａｔｅ  Ｃｌｉｎｉｃｉａｎ−Ａｐｐｌｉｅｄ  Ｌｏａｄｓ  ｏｎ  Ｎｅｗｂｏｒｎｓ，"  Ｎａｔｉｏｎａｌ  Ｌｉｂｒａｒｙ  ｏｆ  Ｍｅｄｉｃｉｎｅ  ＭＥＤＬＩＮＥ  Ｄａｔａｂａｓｅ，  Ｊｕｌｙ，  １９９５，  １  ｐａｇｅ．
【非特許文献３４】  ＣＲＯＦＴＳ，  ＪＯＡＮＮＡ  Ｆ．，  ｅｔ  ａｌ．，  "Ｔｒａｉｎｉｎｇ  ｆｏｒ  Ｓｈｏｕｌｄｅｒ  Ｄｙｓｔｏｃｉａ，"  Ｏｂｓｔｅｔｒｉｃｓ  &  Ｇｙｎｅｃｏｌｏｇｙ，  Ｖｏｌ  １０８，  Ｎｏ．  ６，  Ｄｅｃｅｍｂｅｒ  ２００６，  ｐ．  １４７７−１４８５．
【非特許文献３５】  Ｕｎｉｖｅｒｓｉｔｙ  ｏｆ  Ｍｉａｍｉ，  Ｄｉｖｉｓｉｏｎ  ｏｆ  Ｒｅｓｅａｒｃｈ  ｉｎ  Ｍｅｄｉｃａｌ  Ｅｄｕｃａｔｉｏｎ，  "Ｈａｒｖｅｙ"  -  Ｔｈｅ  Ｃａｒｄｉｏｌｏｇｙ  Ｐａｔｉｅｎｔ  Ｓｉｍｕｌａｔｏｒ，  ５  ｐａｇｅｓ．
【非特許文献３６】  Ｍｅｄｉｃａｌ  Ｅｄｕｃａｔｉｏｎａｌ  Ｔｅｃｈｎｏｌｏｇｙ，  Ｈｕｍａｎ  Ｐａｔｉｅｎｔ  Ｓｉｍｕｌａｔｏｒ，  １９９６，  ９  ｐａｇｅｓ．
【非特許文献３７】  Ｌｏｒａｌ  Ｄａｔａ  Ｐｈｙｓｉｏｌｏｇｙ，  Ｐｈａｒｍａｃｏｌｏｇｙ  &  Ｔｅｃｈｎｏｌｏｇｙ  Ｔｏｇｅｔｈｅｒ  ｉｎ  ｔｈｅ  Ｈｕｍａｎ  Ｐａｔｉｅｎｔ  Ｓｉｍｕｌａｔｏｒ，  Ａｕｇｕｓｔ，  １９９４，  ８  ｐａｇｅｓ．
【非特許文献３８】  Ｌｏｒａｌ  Ｄａｔａ  Ｅｄｕｃａｔｉｏｎ  Ｃｕｒｒｉｃｕｌｕｍ  Ｅｘａｍｐｌｅ  Ｓｃｅｎａｒｉｏ，  Ｈｕｍａｎ  Ｐａｔｉｅｎｔ  Ｓｉｍｕｌａｔｏｒ，  Ｊｕｌｙ  １９９４，  ８  ｐａｇｅｓ．
【非特許文献３９】  Ｌｏｒａｌ  Ｄａｔａ  Ｐｈｙｓｉｏｌｏｇｙ，  Ｐｈａｒｍａｃｏｌｏｇｙ  &  Ｔｅｃｈｎｏｌｏｇｙ  Ｔｏｇｅｔｈｅｒ  ｉｎ  ｔｈｅ  Ｈｕｍａｎ  Ｐａｔｉｅｎｔ  Ｓｉｍｕｌａｔｏｒ，  Ｍａｒｃｈ，  １９９４，  ３  ｐａｇｅｓ．
【非特許文献４０】  Ｐｒｏｍｏｔｉｏｎａｌ  Ｌｉｔｅｒａｔｕｒｅ，  Ａｄｖａｎｃｅｄ  Ｃａｒｄｉａｃ  Ｌｉｆｅ  Ｓｕｐｐｏｒｔ  Ｌｅａｒｎｉｎｇ  Ｓｙｓｔｅｍ，  Ａｍｂｕ  ＭｅｇａＣｏｄｅ  Ｔｒａｉｎｅｒ  Ｓｙｓｔｅｍ  ａｎｄ  Ａｍｂｕ  Ｄｅｆｉｂ  Ｔｒａｉｎｉｎｇ  Ｍａｎｉｋｉｎ，  Ｍａｙ  １９９６，  ９  ｐａｇｅｓ．
【非特許文献４１】  Ｐｒｏｍｏｔｉｏｎａｌ  Ｌｉｔｅｒａｔｕｒｅ，  Ｈｕｍａｎ  Ｐａｔｉｅｎｔ  Ｓｉｍｕｌａｔｏｒ，  １９９４，  Ｌｏｒａｌ  Ｄａｔａ  Ｓｙｓｔｅｍｓ，  ４  ｐａｇｅｓ．
【非特許文献４２】  Ｍｅｄｉｃａｌ  Ｔｅｓｔｉｎｇ  Ｔａｋｅｓ  Ｌｅａｐ  ｉｎｔｏ  Ｆｕｔｕｒｅ，  ｎｅｗｓｐａｐｅｒ  ａｒｔｉｃｌｅ，  Ｎｏｖｅｍｂｅｒ  ８，  １９９４，  ２  ｐａｇｅｓ．
【非特許文献４３】  Ｎａｓｃｏ  Ｈｅａｌｔｈ  Ｃａｒｅ  Ｅｄｕｃａｔｉｏｎａｌ  Ｍａｔｅｒｉａｌｓ．  １９９６−１９９７  ｃａｔａｌｏｇｕｅ，  ２３  ｐａｇｅｓ．
【非特許文献４４】  Ｅａｓｙ  ＡＣＬＳ  Ｑｕｉｃｋ  ｒｅｆｅｒｅｎｃｅ  Ｃｈａｒｔ  ２，  Ａｄｖａｎｃｅｄ  Ｃａｒｄｉａｃ  Ｌｉｆｅ  Ｓｕｐｐｏｒｔ  Ｐｒｅｐａｒａｔｉｏｎ  Ｍａｎｕａｌ，  １９９５，  １１  ｐａｇｅｓ．
【非特許文献４５】  Ｇａｕｍａｒｄ  Ｓｃｉｅｎｔｉｆｉｃ  ９５−９６  Ｃａｔａｌｏｇｕｅ，  ２  ｐａｇｅｓ．
【非特許文献４６】  Ｈｕｍａｎ  Ｐａｔｉｅｎｔ  Ｓｉｍｕｌａｔｏｒ，  Ｃｌｉｎｉｃａｌ  Ｆｅａｔｕｒｅｓ  Ｓｕｍｍａｒｙ，  Ｍｅｄｉｃａｌ  Ｅｄｕｃａｔｉｏｎ  Ｔｅｃｈｎｏｌｏｇｙ，  ２００２−２００３，  １１  ｐａｇｅｓ．
【非特許文献４７】  Ｐｕｔｔｉｎｇ  Ｉｔ  Ａｌｌ  Ｔｏｇｅｔｈｅｒ，  Ｌａｅｒｄａｌ  ＡＬＳ  Ｔｒａｉｎｅｒ  Ｐｒｏｄｕｃｔ  Ｉｎｆｏｒｍａｔｉｏｎ，  ２  ｐａｇｅｓ．
【非特許文献４８】  Ｈｅｌｐｉｎｇ  Ｓａｖｅ  Ｌｉｖｅｓ，  Ｌａｅｒｄａｌ  Ｃａｔａｌｏｇｕｅ，  １９９２，  １０  ｐａｇｅｓ．
【非特許文献４９】  Ａｒｍｓｔｒｏｎｇ  １９９６，  Ａｎｅｓｔｈｅｓｉａ  Ｅｍｅｒｇｅｎｃｙ  Ｃｏｄｅ  Ｔｅａｍ，  ＭＥＴＩ，  ＥＭＳ  Ｒｅｓｐｉｒａｔｏｒｙ  ＩＣＵ／ＣＣＵ，  １５  ｐａｇｅｓ．
【非特許文献５０】  ＭＥＴＩ，  Ｔｈｅ  Ｂｉｇｇｅｓｔ  Ｓｍａｌｌｅｓｔ  Ｉｎｎｏｖａｔｉｏｎ，  Ｐｅｄｉａｓｉｍ  Ｓｉｍｕｌａｔｉｏｎ  Ｔｅｃｈｎｏｌｏｇｙ，  １９９９，  ４  ｐａｇｅｓ
【非特許文献５１】  ｗｗｗ．ｌａｅｄａｌ．ｃｏｍ，  Ｅａｒｌｙ  Ｄｅｆｉｂｒｉｌｌａｔｉｏｎ  Ｐｒｏｄｕｃｔｓ，  Ｌａｅｒｄａｌ  ＡＥＤ  Ｔｒａｉｎｅｒ  ａｎｄ  Ｌａｅｒｄａｌ  Ｅａｒｌｙ  Ｄｅｆｉｂｒｉｌｌａｔｉｏｎ  Ｔｒａｉｎｉｎｇ  Ｍａｎｉｋｉｎｓ，  Ｎｏｖｅｍｂｅｒ  １６，  １９９８，  ２  ｐａｇｅｓ．
【非特許文献５２】  ＭＥＴＩ，  Ｐｒａｃｔｉｃｅ  ｉｓ  ｔｈｅ  Ｂｅｓｔ  Ｔｅａｃｈｅｒ  Ｂｒｏｃｈｕｒｅ，  １９９７，  ４  ｐａｇｅｓ．
【非特許文献５３】  Ｇａｕｍａｒｄ  Ｓｃｉｅｎｔｉｆｉｃ  ２００２−２００３  Ｃａｔａｌｏｇｕｅ，  ８８  ｐａｇｅｓ．
【非特許文献５４】  Ｎｏｅｌｌｅ  Ｍａｔｅｒｎａｌ  ａｎｄ  Ｎｅｏｎａｔａｌ  Ｂｉｒｔｈｉｎｇ  Ｓｉｍｕｌａｔｏｒ  Ｐｒｏｄｕｃｔ  Ｐｒｏｍｏｔｉｏｎａｌ  Ｉｎｆｏｒｍａｔｉｏｎ，  ２００２，  １６  ｐａｇｅｓ．
【非特許文献５５】  Ｌｉｆｅｓａｖｉｎｇ  Ｐｒｏｄｕｃｔｓ  ｆｏｒ  Ｔｏｄａｙ'ｓ  Ｇｏｏｄ  Ｓａｍａｒｉｔａｎｓ，  Ｌａｅｒｄａｌ  Ｃａｔａｌｏｇｕｅ，  ２００３，  ７  ｐａｇｅｓ．
【非特許文献５６】  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２００４／３９４０９，  ｄａｔｅｄ  Ｏｃｔｏｂｅｒ  ２４，  ２００５，  ９  ｐａｇｅｓ．
【非特許文献５７】  ＪＡＰＡＮＥＳＥ  ＰＡＴＥＮＴ  ＯＦＦＩＣＥ，  Ｏｆｆｉｃｅ  Ａｃｔｉｏｎ  ｄａｔｅｄ  Ｍａｙ  １８，  ２００５，  Ａｐｐｌｉｃａｔｉｏｎ  Ｎｏ．  ２００２／５３３２６０，  ７  ｐａｇｅｓ．
【非特許文献５８】  ＥＵＲＯＰＥＡＮ  ＰＡＴＥＮＴ  ＯＦＦＩＣＥ，  "Ｎｏｔｉｆｉｃａｔｉｏｎ  ｏｆ  Ｔｒａｎｓｍｉｔｔａｌ  ｏｆ  ｔｈｅ  Ｉｎｔｅｒｎａｔｉｏｎａｌ  Ｓｅａｒｃｈ  Ｒｅｐｏｒｔ  ａｎｄ  ｔｈｅ  Ｗｒｉｔｔｅｎ  Ｏｐｉｎｉｏｎ  ｏｆ  ｔｈｅ  Ｉｎｔｅｒｎａｔｉｏｎａｌ  Ｓｅａｒｃｈｉｎｇ  Ａｕｔｈｏｒｉｔｙ，  ｏｒ  ｔｈｅ  Ｄｅｃｌａｒａｔｉｏｎ，"  ＰＣＴ  ／ＵＳ２００８／０８５４７１，  Ｊｕｌｙ  １６，  ２００９，  ２３  ｐａｇｅｓ
【非特許文献５９】  ＥＵＲＯＰＥＡＮ  ＰＡＴＥＮＴ  ＯＦＦＩＣＥ，  Ｏｆｆｉｃｅ  Ａｃｔｉｏｎ  ｄａｔｅｄ  Ｎｏｖｅｍｂｅｒ  ２２，  ２００５，  Ａｐｐｌｉｃａｔｉｏｎ  Ｎｏ．  ０１９７７９０８．１，  ４  ｐａｇｅｓ．
【非特許文献６０】  ＪＡＰＡＮＥＳＥ  ＰＡＴＥＮＴ  ＯＦＦＩＣＥ，  Ｏｆｆｉｃｅ  Ａｃｔｉｏｎ  ｄａｔｅｄ  Ｄｅｃｅｍｂｅｒ  ８，  ２００９，  Ａｐｐｌｉｃａｔｉｏｎ  Ｎｏ．  ２００９−１４３５８３，  ５  ｐａｇｅｓ．
【非特許文献６１】  ＥＵＲＯＰＥＡＮ  ＰＡＴＥＮＴ  ＯＦＦＩＣＥ，  Ｉｎｔｅｒｎａｔｉｏｎａｌ  Ｓｅａｒｃｈ  Ｒｅｐｏｒｔ  ｉｓｓｕｅｄ  Ｏｃｔｏｂｅｒ  １０，  ２０１０，  Ａｐｐｌｉｃａｔｉｏｎ  Ｎｏ．  ０１９７７９０８．１−２２２１／１３４２２２４  ＰＣＴ／ＵＳ０１１４２５１２，  ５  ｐａｇｅｓ．
【非特許文献６２】  Ｌｏｒａｌ  Ｄａｔａ  Ｓｙｓｔｅｍｓ  Ｄｅｌｉｖｅｒｓ  Ｈｕｍａｎ  ｐａｔｉｅｎｔ  Ｓｉｍｕｌａｔｏｒ，  ｎｅｗｓ  ｒｅｌｅａｓｅ，  Ａｕｇｕｓｔ  １９９４，  １  ｐａｇｅ．
【発明の概要】
【課題を解決するための手段】